(57)【特許請求の範囲】
【請求項１】
筐体と、端部プレートと、ガラスパネルと、内側パッキンと、外側パッキンと、押縁と、光源と、光反射板を備え、筐体は、上壁部と下壁部と後壁部とからなり、上壁部と下壁部は、内周側に向く筐体側パネル取付溝部が設けてあるとともに、筐体側パネル取付溝部の内側壁には外側に向く筐体側内側溝部が設けてあり、端部プレートは、筐体の両側にそれぞれ取り付けてあり、内周部には押縁を取り付けたときに内周側に向くプレート側パネル取付溝部を形成するとともに、プレート側パネル取付溝部には外側に向くプレート側内側溝部が設けてあり、筐体側パネル取付溝部とプレート側パネル取付溝部は連続しており、筐体側内側溝部とプレート側内側溝部は連続しており、内側パッキンは、筐体と端部プレートの各内側溝部に外側に向けて取り付けてあり、ガラスパネルは、筐体の筐体側パネル取付溝部に倹飩式に取り付けてあり、外側パッキンは、ガラスパネルを取り付けた筐体の筐体側パネル取付溝部と端部プレートのプレート側パネル取付溝部に内側に向けて取り付けてあり、内側パッキンと外側パッキンとの間にガラスパネルを挟むことを特徴とする照明具。
【発明の詳細な説明】
【技術分野】
【０００１】
本発明は、トンネル等に使用する照明具に関するものである。
【背景技術】
【０００２】
トンネル等に使用する照明具は、躯体壁面に設けた穴に埋設する金属製の筐体と、その筐体の内部に取り付けてある光源と光反射板と、筐体の正面を覆うガラスパネルとからなっており、筐体とガラスパネルで外部と遮断することにより、塵や湿気を防いで光源を保護している。  
【発明の概要】
【発明が解決しようとする課題】
【０００３】
ところが、上記のような照明具は、トンネル等に設置するものであるから耐塵や耐水性の確保が必要であったことから、一般にシーリング剤や接着剤を用いる湿式工法でパネルが収められており、したがって、養生工程を要するので製造効率が悪くなる問題点もあった。本発明は、上記課題を鑑みてなされたものであり、製造が容易で且つ耐塵性や耐水性に優れた照明具を提供することにある。
【課題を解決するための手段】
【０００４】
本発明は、筐体と、端部プレートと、ガラスパネルと、内側パッキンと、外側パッキンと、押縁と、光源と、光反射板を備え、筐体は、上壁部と下壁部と後壁部とからなり、上壁部と下壁部は、内周側に向く筐体側パネル取付溝部が設けてあるとともに、筐体側パネル取付溝部の内側壁には外側に向く筐体側内側溝部が設けてあり、端部プレートは、筐体の両側にそれぞれ取り付けてあり、内周部には押縁を取り付けたときに内周側に向くプレート側パネル取付溝部を形成するとともに、プレート側パネル取付溝部には外側に向くプレート側内側溝部が設けてあり、筐体側パネル取付溝部とプレート側パネル取付溝部は連続しており、筐体側内側溝部とプレート側内側溝部は連続しており、内側パッキンは、筐体と端部プレートの各内側溝部に外側に向けて取り付けてあり、ガラスパネルは、筐体の筐体側パネル取付溝部に倹飩式に取り付けてあり、外側パッキンは、ガラスパネルを取り付けた筐体の筐体側パネル取付溝部と端部プレートのプレート側パネル取付溝部に内側に向けて取り付けてあり、内側パッキンと外側パッキンとの間にガラスパネルを挟むことを特徴とすることを特徴とする。
【発明の効果】
【０００５】
本発明によれば、ガラスパネルを筐体や端部プレートに取り付けるときに、ガラスパネルを内側パッキンと外側パッキンで挟んで固定する構造であることから、シーリング材や接着剤を用いずに照明具を乾式で形成できるので、養生が不要となって製造の効率化が図れることになる。
【図面の簡単な説明】
【０００６】
【図１】本実施の照明具を示すものであり、（ａ）は、図２のＡ−Ａ線断面図であり、（ｂ）は、図２のＢ−Ｂ線断面図である。
【図２】本実施による照明具の斜視図である。
【図３】（ａ）〜（ｃ）は、本実施による照明具の施工手順を示す簡略化した図である。
【発明を実施するための形態】
【０００７】
以下に、図面に基づいて本実施による照明具の実施の形態を説明する。
本実施による照明具は、図１〜図３のように、筐体１と、端部プレート２と、ガラスパネル３と、内側パッキン４と、外側パッキン５と、押縁６と、ＬＥＤ（光源）７と、光反射板８を備えている。筐体１は、上壁部１ａと下壁部１ｂと上壁部１ａと下壁部１ｂをつなぐ後壁部１ｃとからなる断面略コ字型のものであり、すべてアルミ押出形材により成形されている。また、上壁部１ａと下壁部１ｂの内周側には、溝開口が筐体１の内周側を向く筐体側パネル取付溝部９ａが各々設けてあり、また、筐体側パネル取付溝部９ａの内側壁１６ａには、溝開口が外側を向く筐体側内側溝部１０ａが設けてある。端部プレート２は、側壁部２ａと、側壁部２ａの内周に設けてあるプレート側内側溝部１０ｂと、押縁６を嵌合する被嵌合部２ｂ，２ｃとからなり、側壁部２ａは、板状をなしており、筐体１の両側端部を塞ぐものである。また、被嵌合部２ｂ，２ｃは、側壁部２ａの内周側に間隔をあけて２カ所に設けてあり、この２つの被嵌合部２ｂ，２ｃで挟み込む状態で押縁６をスナップ式に嵌合する。このとき、押縁６と端部プレート２とで溝開口が内周側を向くプレート側パネル取付溝部９ｂが形成される。プレート側内側溝部１０ｂは、プレート側パネル取付溝部９ｂの内側壁１６ｂに設けてあるとともに、その溝開口が外側に向いており、そこに内側パッキン４が取り付けられる。内側パッキン４と外側パッキン５は、弾性素材で成形してあるとともにそれぞれ横長略矩形状に連続して一周しているものであり、内側パッキン４は、躯体側に嵌合部４ａを有しており、その嵌合部４ａを筐体側内側溝部１０ａとプレート側内側溝部１０ｂの溝内周部に設けてある内壁部１４ａ，１４ｂに弾性を利用して嵌合している。また、外側パッキン５は、筐体側パネル取付溝部９ａとプレート側パネル取付溝部９ｂに取り付けられるが、筐体１の筐体側パネル取付溝部９ａの外壁部１７の先端部１７ａと、後述する押縁６の見付片６ａの先端部１５とに嵌合する嵌合溝部５ａを有している。押縁６は、見付片６ａと見込片６ｂからなる断面略Ｌ字型をなしており、その見込片６ｂを端部プレート２の内周部に設けた被嵌合部２ｂ，２ｃに嵌合することにより、前述したように、端部プレート２との間に溝開口部が内周側を向くプレート側パネル取付溝部９ｂを形成する。ＬＥＤ７は、複数の発光体（図示省略）を基盤７ａに取り付けたものであり、筐体１の後壁部１ｃ内周に設けてある光源取付溝部１１に基盤７ａがスライドして取り付けてある。光反射板８は、光源取付溝部１１に取り付けてあるＬＥＤ７の上下にそれぞれ取り付けてあり、ＬＥＤ７が発光したときのその光を拡散するものである。また、筐体１、端部プレート２、押縁６のすべてはアルミ押出形材から成形されており、各部品を所定の寸法で切断することにより、本実施による照明具のサイズを自由に設定できる。
【０００８】
上記のように構成する照明具の施工手順は、第一手順として図３（ａ）のように、筐体１の両側面に端部プレート２をネジ１２でネジ止めして取り付け、さらに、筐体１に設けてある筐体側内側溝部１０ａと、端部プレート２に設けてあるプレート側内側溝部１０ｂに、内側パッキン４を嵌合する。第二手順として図３（ｂ）のように、筐体１の上壁部１ａと下壁部１ｂに設けてある筐体側パネル取付溝部９ａにガラスパネル３を倹飩式に取り付け、さらに、両側の各端部プレート２の内周側の被嵌合部２ｂ，２ｃに押縁６をそれぞれ嵌合する。第三手順として、図３（ｃ）のように、筐体１及び端部プレート２と押縁６の間にあるプレート側パネル取付溝部９ｂに外側パッキン５を筐体１の内周側から差し込んでいき、外側パッキン５を内側パッキン４とでガラスパネル３を挟み込む状態とすることにより、本実施による照明具の組み立てが完了する。
【０００９】
上記の施工手順を経て形成された本実施による照明具は、筐体１の筐体側内側溝部１０ａと端部プレート２のプレート側内側溝部１０ｂに取り付ける内側パッキン４と、筐体１の筐体側パネル取付溝部９ａと端部プレート２のプレート側パネル取付溝部９ｂに取り付ける外側パッキン５により、筐体側パネル取付溝部９ａとプレート側パネル取付溝部９ｂに取り付けられたガラスパネル３を内外から挟む乾式構造となる。これにより、ガラスパネル３の取り付けにシーリング剤や接着剤を使用して筐体１内部の水密性を確保する必要がなく、施工手間が省かれて効率的な生産が可能となる。さらに、筐体１と端部プレート２と押縁６がアルミ押出形材から成形されており、照明具のサイズの修正や設置環境等の設計変更に柔軟に対応できるとともに、アルミ押出形材で統一されていることから、熱放射しやすく、しかも、表面処理仕様が統一されて耐食性も高くなる。
【００１０】
上記各実施形態では、本発明の照明具を取り付ける躯体として、トンネル坑内等の躯体壁部に取り付けるものについて挙げたが、躯体壁部に埋め込んで使用する態様であれば特に限定するものではない。また、筐体１は、上記実施形態では矩形のものが挙げられているが、内側パッキン４と外側パッキン５が四周を囲むものを取り付けできるものであればよく、丸形や多角形であってもよい。また、光源７は、上記実施形態のようにＬＥＤ７でもよいし、蛍光灯等であってもよい。
【符号の説明】
【００１１】
１  筐体
２  端部プレート
３  ガラスパネル
４  内側パッキン
５  外側パッキン
６  押縁
７  ＬＥＤ（光源）
８  光反射板
９ａ  筐体側パネル取付溝部
９ｂ  プレート側パネル取付溝部
１０ａ  筐体側内側溝部
１０ｂ  プレート側内側溝部
【図１】
0006000526.tif 000002
【図２】
0006000526.tif 000003
【図３】
0006000526.tif 000004